(57)【要約】      （修正有）【課題】収納棚に取り付けられた場合において、収納棚の見栄えを向上できるテーブルタップを提供する。【解決手段】箱形のタップ本体１４の表面１４ａには３つのロッカスイッチ１３の操作部が配設され、その表面１４ａと平行な背面１４ｂには３つのコンセント１２のプラグ挿入孔が配設されるので、コンセントにＡＶ機器の電源プラグの栓刃が差し込まれると、ＡＶ機器のコードが収納棚に収容される。【選択図】図２
0003176358.tif 000002
【実用新案登録請求の範囲】
【請求項１】
供給源に差し込まれる接続プラグを一端に有する延長コードと、その延長コードにより前記供給源から電源が供給され電器機器の電源プラグが差込み可能な複数のコンセントと、その複数のコンセントに対応しオン又はオフ可能な複数のロッカスイッチとを備え、前記電器機器を収納する収納棚に取り付けられるテーブルタップにおいて、
前記収納棚に取り付けられる箱形のタップ本体を備え、
前記タップ本体は、前記複数のロッカスイッチが直線状に配設される表面と、
その表面と対向し前記複数のコンセントが直線状に配設される背面とを備え、
前記複数のロッカスイッチ及び複数のコンセントは、前記表面及び背面と直交する方向から視て重ならないように、それらの配列方向で偏倚されることを特徴とするテーブルタップ。
【請求項２】
前記延長コードにより前記供給源から電源が常時供給され前記電器機器の電源プラグが差込み可能な常時コンセントを備え、
前記常時コンセントは、前記タップ本体の表面に配設されることを特徴とする請求項１記載のテーブルタップ。
【請求項３】
前記複数のロッカスイッチのそれぞれは、前記タップ本体の表面に配設され前記供給源から前記複数のコンセントのうち対応するコンセントへの給電をオン又はオフするロッカスイッチ操作部を備え、
前記スイッチ操作部は、前記オン又はオフを操作する方向である操作方向の長さに比べて前記操作方向と直交する方向の長さが短く設定されており、
前記スイッチ操作部における前記操作方向と直交する方向を、前記複数のロッカスイッチの配列方向と一致させることを特徴とする請求項１又は２に記載のテーブルタップ。
【請求項４】
前記複数のロッカスイッチのそれぞれは、前記タップ本体の表面に配設され前記供給源から前記複数のコンセントのうち対応するコンセントへの給電をオン又はオフするスイッチ操作部を備え、
前記スイッチ操作部は、前記オン又はオフを操作する方向である操作方向の長さに比べて前記操作方向と直交する方向の長さが短く設定されており、
前記スイッチ操作部の前記操作方向を、前記複数のロッカスイッチの配列方向と一致させることを特徴とする請求項１又は２に記載のテーブルタップ。
【考案の詳細な説明】
【技術分野】
【０００１】
本考案は、テーブルタップに関し、特に、収納棚に取り付けられた場合において、収納棚の見栄えを向上できるテーブルタップに関するものである。
【背景技術】
【０００２】
特許文献１には、複数の電気器具に電源を供給するための電源装置である従来のテーブルタップが開示されている。従来のテーブルタップは、供給源に差し込まれる電源プラグを一端に有する延長コードと、その延長コードにより供給源から電源が供給され電器機器の電源プラグが差込み可能な複数のコンセントと、その複数のコンセントに対応しオン又はオフ可能な複数のスイッチと、を備えて構成されている。複数のスイッチをオン又はオフすることにより、供給源からの電器機器への電源供給を簡単にオン又はオフすることができる。複数のコンセント及び複数のスイッチはテーブルタップの表面側に集中配置されている。
【先行技術文献】
【特許文献】
【０００３】
【特許文献１】特開平１１−８０３２号公報（図１）
【考案の概要】
【考案が解決しようとする課題】
【０００４】
しかしながら、上述した従来のテーブルタップは、複数のコンセント及び複数のスイッチがテーブルタップの表面側に集中配置されているので、収納棚に取り付けられた場合は、電器機器のコードが収納棚の外部に露出する。よって、従来のテーブルタップが収納棚に取り付けられた場合は、収納棚の見栄えが悪くなるという問題点を有していた。
【０００５】
本考案は、上述した問題点を解決するためになされたものであり、収納棚に取り付けられた場合において、収納棚の見栄えを向上できるテーブルタップを提供することを目的としている。
【課題を解決するための手段及び効果】
【０００６】
この目的を達成するために請求項１記載のテーブルタップは、電器機器が収納される収納棚に取り付けられるものであって、供給源に接続プラグが差し込まれることで、接続プラグを一端に有する延長コードを介して供給源から電源が複数のコンセントに供給され、その複数のコンセントに対応する複数のロッカスイッチをオン又はオフすることで、複数のコンセントに電源プラグが差し込まれる電器機器は供給源からの電源供給がオン又はオフされる。
【０００７】
ここで、請求項１記載のテーブルタップによれば、箱形のタップ本体の表面には複数のロッカスイッチが配設され、その表面と対向する背面には複数のコンセントが配設されるので、コンセントに電器機器の電源プラグが差し込まれると、電器機器のコードが収納棚に収容される。よって、電器機器のコードが収納棚の外部に露出しないので、収納棚の見栄えを向上できるという効果を奏する。
【０００８】
また、タップ本体の表面に複数のロッカスイッチが直線状に配設されると共にタップ本体の背面に複数のコンセントが直線状に配設される。これらの複数のロッカスイッチ及び複数のコンセントは、タップ本体の表面及び背面と直交する方向から視て重ならないように、複数のロッカスイッチ及び複数のコンセントの配列方向で偏倚される。よって、複数のロッカスイッチ及び複数のコンセントは、タップ本体の表面及び背面と直交する方向から視て重なる場合に比べて、タップ本体の厚み（表面及び背面に直交する長さ）を薄くできるという効果を奏する。
【０００９】
即ち、タップ本体の内部には電源プラグを収容するための電源プラグ用空間と、スイッチを収容するためのスイッチ用空間とを確保する必要がある。従って、ロッカスイッチ及びコンセントがタップ本体の表面及び背面と直交する方向から視て重なると、電源プラグ用空間及びスイッチ用空間が重なる分、タップ本体の厚みが大きくなる。
【００１０】
これに対して、ロッカスイッチ及びコンセントが、タップ本体の表面及び背面と直交する方向から視て重ならないように、ロッカスイッチ及びコンセントの配列方向で偏倚される場合は、電源プラグ用空間及びスイッチ用空間を重ならないように配設できる。よって、タップ本体の厚み（表面及び背面に直交する方向の長さ）を薄くできるので、タップ本体の小型化を図れる。よって、電器機器を収納する収納棚に取り付けられる場合に、電器機器と干渉する可能性を少なくできるという効果を奏する。
【００１１】
請求項２記載のテーブルタップによれば、請求項１記載のテーブルタップの奏する効果に加え、収納棚用のテーブルタップを収納棚に収納される電器機器とは別の電器機器の電源供給装置として利用できるという効果を奏する。即ち、延長コードにより供給源から電源が常時供給され電器機器の電源プラグが差込み可能な常時コンセントは、タップ本体の表面に配設されるので、収納棚に収納される電器機器とは別の電器機器の電源プラグを差し込み可能に構成される。よって、収納棚用のテーブルタップを収納棚に収納される電器機器とは別の電器機器の電源供給装置として利用できる。
【００１２】
また、常時コンセントは、延長コードにより供給源から電源が常時供給されるので、ロッカスイッチが不要とされる。よって、タップ本体は、ロッカスイッチによりオン又はオフ可能なコンセントを表面に配設する場合に比べて、ロッカスイッチが不要な分だけタップ本体を小型化できるという効果を奏する。
【００１３】
請求項３記載のテーブルタップによれば、請求項１又は２に記載のテーブルタップの奏する効果に加え、スイッチ操作部における操作方向と直交する方向を、複数のロッカスイッチ及び複数のコンセントの配列方向と一致させるので、タップ本体の全長（タップ本体の長尺方向の長さ）を短くできるという効果を奏する。
【００１４】
即ち、複数のロッカスイッチのそれぞれには、スイッチ操作部がタップ本体の表面に配設されており、スイッチ操作部により供給源から複数のコンセントのうち対応するコンセントへの給電がオン又はオフされる。ここで、スイッチ操作部は、オン又はオフを操作する方向である操作方向の長さに比べて操作方向と直交する方向の長さが短く設定される。このスイッチ操作部の短尺方向（スイッチ操作部の操作方向と直交する方向）を、複数のロッカスイッチの配列方向と一致させている。よって、スイッチ操作部は、その短手方向が直線状に配設されるので、その長尺方向を複数のロッカスイッチの配列方向と一致させる場合に比べて、タップ本体の全長（タップ本体の長尺方向の長さ）を短くできる。
【００１５】
請求項４記載のテーブルタップによれば、請求項１又は２に記載のテーブルタップの奏する効果に加え、スイッチ操作部の操作方向を、複数のロッカスイッチの配列方向と一致させるので、タップ本体の幅（タップ本体の短尺方向の長さ）を短くできるという効果を奏する。
【００１６】
即ち、複数のロッカスイッチのそれぞれには、スイッチ操作部がタップ本体の表面に配設されており、スイッチ操作部により供給源から複数のコンセントのうち対応するコンセントへの給電がオン又はオフされる。ここで、スイッチ操作部は、オン又はオフを操作する方向である操作方向の長さに比べて操作方向と直交する方向の長さが短く設定される。このスイッチ操作部の長尺方向（スイッチ操作部の操作方向）を、複数のロッカスイッチの配列方向と一致させている。よって、スイッチ操作部は長尺方向が直線状に配設されるので、その短尺方向を複数のロッカスイッチの配列方向と一致させる場合に比べて、タップ本体の幅（タップ本体の短尺方向の長さ）を短くできる。
【図面の簡単な説明】
【００１７】
【図１】（ａ）は第１実施の形態におけるテーブルタップが取り付けられたテレビ用棚の正面図であり、（ｂ）は図１（ａ）のＩｂ―Ｉｂ線におけるテレビ用棚の断面図であり、（ｃ）は図１（ｂ）のＩｃ方向から視たテレビ用棚の一部背面図である。
【図２】（ａ）はテーブルタップの正面図であり、（ｂ）はテーブルタップの背面図であり、（ｃ）はテーブルタップの側面図であり、（ｄ）はテーブルタップの平面図である。
【図３】（ａ）は電器機器の電源プラグがコンセントに差し込まれた状態を示すテーブルタップの平面図であり、（ｂ）は電器機器の電源プラグがコンセントに差し込まれた状態を示すテーブルタップの斜視図であり、（ｃ）は図３（ａ）ＩＩＩｃ―ＩＩＩｃ線におけるテーブルタップの断面図である。
【図４】（ａ）は第２実施の形態におけるテーブルタップの正面図であり、（ｂ）はテーブルタップの正面図である。
【図５】テーブルタップの取付位置が変更されたテレビ用棚の正面図である。
【考案を実施するための形態】
【００１８】
以下、本考案の好ましい実施の形態について、まず、図１を参照して第１実施の形態におけるテーブルタップ１が取り付けられたテレビ用棚１００の概略構成について添付図面を参照して説明する。図１（ａ）は第１実施の形態におけるテーブルタップ１が取り付けられたテレビ用棚１００の正面図であり、図１（ｂ）は図１（ａ）のＩｂ―Ｉｂ線におけるテレビ用棚１００の断面図であり、図１（ｃ）は図１（ｂ）のＩｃ方向から視たテレビ用棚１００の一部背面図である。
【００１９】
図１（ａ）に示すように、テレビ用棚１００は、ＡＶ機器（図示せず）を収納すると共にテレビ（図示せず）を設置する棚であって、その正面中央には、テーブルタップ１が取り付けられている。図１（ｂ）及び図１（ｃ）に示すように、テレビ用棚１００は、そのテレビ用棚１００に収納されるＡＶ機器の電源プラグＰ（図３参照）をテーブルタップ１に差し込みできるように、テーブルタップ１が取り付けられる部分の背面側が解放されている。よって、テレビ用棚１００におけるテーブルタップ１の背面側には収容スペースが形成される。この収容スペースにハードディスク等の比較的小型のＡＶ機器（図示せず）を収納しておけば、当該ＡＶ機器を収容スペースから出し入れすることで、テーブルタップ１に電源プラグＰを差し込み可能としつつ、収容スペースの有効活用が図れる。なお、ＡＶ機器は請求項１〜４における電器機器に対応する。
【００２０】
次に、図２及び図３を参照して第１実施の形態におけるテーブルタップ１の概略構成について説明する。図２（ａ）はテーブルタップ１の正面図であり、図２（ｂ）はテーブルタップ１の背面図であり、図２（ｃ）はテーブルタップ１の側面図であり、図２（ｄ）はテーブルタップ１の平面図である。図３（ａ）はＡＶ機器の電源プラグＰがコンセント１２に差し込まれた状態を示すテーブルタップ１の平面図であり、図３（ｂ）はＡＶ機器の電源プラグＰがコンセント１２に差し込まれた状態を示すテーブルタップ１の斜視図であり、図３（ｃ）は図３（ａ）ＩＩＩｃ―ＩＩＩｃ線におけるテーブルタップ１の断面図である。図３（ｃ）においてケース１２ｃの一部が断面表示されている。
【００２１】
図２に示すように、テーブルタップ１は、家庭用電源等の供給源（図示せず）に差し込まれる接続プラグ（図示せず）を一端に有する延長コード１１と、その延長コード１１により供給源から電源が供給されＡＶ機器（図示せず）の電源プラグＰの栓刃Ｐ１（図３（ｃ）参照）が差込み可能な３つのコンセント１２と、その３つのコンセント１２に対応しオン又はオフ可能な３つのロッカスイッチ１３とが設けられている。３つのコンセント１２及び３つのロッカスイッチ１３は、それぞれ同一構成であるため、図２及び図３において一部についてのみ符号を付し、残りについては符号を付すことを省略する。
【００２２】
図２及び図３に示すように、コンセント１２は、電源プラグＰの栓刃Ｐ１が差し込まれるプラグ挿入孔１２ａと、そのプラグ挿入孔１２ａから内部に挿入される栓刃Ｐ１を受ける刃受けばね１２ｂと、刃受けばね１２ｂを収容するケース１２ｃとが設けられている。
【００２３】
ロッカスイッチ１３は、供給源（図示せず）からコンセント１２への給電を個別にオン／オフするスイッチ本体１３ａと、そのオン／オフ操作を行うスイッチ操作部１３ｂと、刃受けばね１２ｂと電気的及び機械的に接続されるスイッチ側端子１３ｃと、そのスイッチ側端子１３ｃ及び刃受けばね１２ｂと電気的及び機械的に接続され延長コード１１から延びる配線１６が固着される配電板１３ｄとが設けられている。
【００２４】
以上のように構成されるテーブルタップ１によれば、供給源に接続プラグ（図示せず）が差し込まれると、接続プラグを一端に有する延長コード１１及び延長コード１１から延びる配線１６を介して、供給源から電源が３つのコンセント１２の刃受けばね１２ｂに供給される。よって、コンセント１２のプラグ挿入孔１２ａにＡＶ機器における電源プラグＰの栓刃Ｐ１が差し込まれると、ＡＶ機器は刃受けばね１２ｂ及びコードＰ２を介して供給源から電源供給される。また、３つのコンセント１２に対応する３つのスイッチ操作部１３ｂをそれぞれオン又はオフすることで、スイッチ本体１３ａにより配電板１３ｄとスイッチ側端子１３ｃ（刃受けばね１２ｂ）との電気接続が独立してオン又はオフされる。よって、電源プラグＰの栓刃Ｐ１（ＡＶ機器）への電源供給がそれぞれ独立してオン又はオフされるようになっている。
【００２５】
テーブルタップ１は、テレビ用棚１００（図１参照）に取り付けられる箱形のタップ本体１４と、延長コード１１により供給源から電源が常時供給されＡＶ機器の電源プラグＰの栓刃Ｐ１が差込み可能な常時コンセント１５とが設けられている。タップ本体１４は、３つのロッカスイッチ１３のスイッチ操作部１３ｂが直線状に配設される表面１４ａと、その表面１４ａと平行であって３つのコンセント１２のプラグ挿入孔１２ａが直線状に配設される背面１４ｂとが設けられている。
【００２６】
よって、箱形のタップ本体１４の表面１４ａには３つのロッカスイッチ１３のスイッチ操作部１３ｂが配設され、その表面１４ａと平行な背面１４ｂには３つのコンセント１２のプラグ挿入孔１２ａが配設されるので、コンセントにＡＶ機器の電源プラグＰの栓刃Ｐ１が差し込まれると、ＡＶ機器のコードＰ２が収納棚に収容される。よって、ＡＶ機器のコードＰ２がテレビ用棚１００の外部に露出しないので、テレビ用棚１００の見栄えを向上できる。
【００２７】
直線状に配設される３つのスイッチ操作部１３ｂ及び３つのプラグ挿入孔１２ａは、それぞれタップ本体１４の表面１４ａ及び背面１４ｂに、その表面１４ａ及び背面１４ｂと直交する方向（図２（ａ）及び図２（ｂ）紙面垂直方向）から視て重ならないように、それらの配列方向（図２（ａ）及び図２（ｂ）の上下方向）で偏倚されて配設される。
【００２８】
よって、スイッチ操作部１３ｂ及びプラグ挿入孔１２ａがタップ本体１４の表面１４ａ及び背面１４ｂと直交する方向（図２（ａ）及び図２（ｂ）紙面垂直方向）から視て重なる場合に比べて、タップ本体１４の厚み（表面１４ａ及び背面１４ｂに直交する方向の長さ、図３（ｃ）の左右方向の長さ）を薄くできる。
【００２９】
即ち、タップ本体１４の内部には電源プラグＰを収容するための電源プラグ用空間と、ロッカスイッチ１３を収容するためのスイッチ用空間とを確保する必要がある。従って、スイッチ操作部１３ｂ及びプラグ挿入孔１２ａがタップ本体１４の表面１４ａ及び背面１４ｂと直交する方向（図２（ａ）及び図２（ｂ）紙面垂直方向）から視て重なると、電源プラグ用空間及びスイッチ用空間が重なる分、タップ本体１４の厚みが大きくなる。
【００３０】
これに対して、スイッチ操作部１３ｂ及びプラグ挿入孔１２ａが、タップ本体１４の表面１４ａ及び背面１４ｂと直交する方向（図２（ａ）及び図２（ｂ）紙面垂直方向）から視て重ならないように、３つのスイッチ操作部１３ｂ及び３つのプラグ挿入孔１２ａの配列方向で偏倚される場合は、電源プラグ用空間及びスイッチ用空間を重ならないように配設できる。よって、タップ本体１４の厚み（表面１４ａ及び背面１４ｂに直交する方向の長さ、図３（ｃ）の左右方向の長さ）を薄くできるので、タップ本体１４を厚み方向に小型化できる。従って、テレビ用棚１００を収納するテレビ用棚１００にテーブルタップ１が取り付けられる場合に、ＡＶ機器と干渉する可能性を少なくできる。
【００３１】
常時コンセント１５は、３つのコンセント１２と同様に、電源プラグＰの栓刃Ｐ１が差し込まれるプラグ挿入孔１５ａと、そのプラグ挿入孔１５ａから内部に挿入される栓刃Ｐ１を受ける刃受けばね（図示せず）とが設けられており、プラグ挿入孔１５ａがタップ本体１４の表面１４ａとタップ本体１４の背面１４ｂとにそれぞれ配設される。
【００３２】
常時コンセント１５は、延長コード１１により供給源から電源が常時供給されるので、対応するロッカスイッチ１３が不要とされる。よって、タップ本体１４は、ロッカスイッチ１３によりオン又はオフ可能なコンセント１２を表面に配設する場合に比べて、ロッカスイッチ１３が不要な分だけタップ本体１４を小型化できる。
【００３３】
また、常時コンセント１５は、タップ本体１４の表面に配設されると、テレビ用棚１００（図１参照）に収納されるＡＶ機器とは別の電器機器の電源プラグを差し込み可能とされる。よって、テレビ用棚１００のテーブルタップをテレビ用棚１００に収納されるＡＶ機器とは別の電器機器の電源供給装置として利用できる。
【００３４】
スイッチ操作部１３ｂは、オン又はオフを操作する方向である操作方向（図２（ａ）左右方向）の長さに比べて操作方向と直交する方向（図２（ａ）上下方向）の長さが短く設定されている。第１実施の形態におけるテーブルタップ１では、スイッチ操作部１３ｂの操作方向と直交する方向（スイッチ操作部１３ｂの短尺方向）を、複数のスイッチ操作部１３ｂの配列方向（図２（ａ）上下方向）と一致させている。よって、スイッチ操作部１３ｂは、その短尺方向が直線状に配設されるので、その長尺方向（図２（ａ）左右方向）を複数のスイッチ操作部１３ｂの配列方向と一致させる場合に比べて、タップ本体１４の全長（タップ本体の長尺方向の長さ）を短くできる。
【００３５】
次いで、図４（ａ）を参照して、第２実施の形態について説明する。図４（ａ）は第２実施の形態におけるテーブルタップ１０１の正面図であり、図４（ｂ）はテーブルタップ１０１の背面図である。第１実施の形態では、スイッチ操作部１３ｂの操作方向と直交する方向（スイッチ操作部の短尺方向）を、複数のスイッチ操作部１３ｂの配列方向と一致させる場合を説明したが、第２実施の形態では、スイッチ操作部１３ｂの操作方向（スイッチ操作部の長尺方向）を、複数のスイッチ操作部１３ｂの配列方向と一致させている。なお、上記した第１実施の形態と同一の部分には同一の符号を付して、その説明は省略する。
【００３６】
スイッチ操作部１３ｂの操作方向（スイッチ操作部の長尺方向）を、複数のスイッチ操作部１３ｂの配列方向と一致させている。よって、スイッチ操作部１３ｂは、その長尺方向が直線状に配設されるので、その短尺方向（図４（ａ）左右方向）を複数のスイッチ操作部１３ｂの配列方向と一致させる場合に比べて、タップ本体１１４の幅（タップ本体の短尺方向の長さ）を短くできる。
【００３７】
以上、実施形態に基づき本考案を説明したが、本考案は上記実施形態に何ら限定されるものではなく、本考案の趣旨を逸脱しない範囲内で種々の変形改良が可能であることは容易に推察できるものである。
【００３８】
上記第１及び第２実施の形態では、ロッカスイッチ１３によりオン又はオフ可能な３つのコンセント１２を設ける場合を説明したが、必ずしもこれに限られるものではなく、例えば、複数であれば４つでも５つでも良い。しかしながら、コンセント１２の数が多すぎると、テーブルタップ１の大型化を招くので３つ以上６つ以下が望ましい。
【００３９】
上記第１及び第２実施の形態では、テーブルタップ１をテレビ用棚１００の前面中央に取り付ける場合を説明したが、必ずしもこれに限られるものではなく、例えば、図５に示すようにテレビ用棚２００の前面側部にテーブルタップ１を取り付けても良い。テーブルタップ１の取付位置が変更されたテレビ用棚２００の正面図である。
【００４０】
なお、上記の各実施形態は、それぞれ、他の実施形態が有する構成の一部または複数部分を、その実施形態に追加し或いはその実施形態の構成の一部または複数部分と交換等することにより、その実施形態を変形して構成するようにしても良い。
【符号の説明】
【００４１】
１，１０１          テーブルタップ
１１                延長コード
１２                コンセント
１３                ロッカスイッチ
１３ａ              スイッチ操作部
１４                タップ本体
１４ａ              表面
１４ｂ              背面
１５                常時コンセント
１００，２００      テレビ用棚（収納棚）
Ｐ                  電源プラグ
【図１】
0003176358.tif 000003
【図２】
0003176358.tif 000004
【図３】
0003176358.tif 000005
【図４】
0003176358.tif 000006
【図５】
0003176358.tif 000007